(57)【要約】【課題】正面側からだけでなく、側面側からの意匠性を向上させることのできる商品陳列用容器を提供する。【解決手段】商品陳列用容器（１）は、複数の商品を収容することが可能であり、底壁（１１）と後壁（１２）と一対の側壁（１３）とで囲まれる商品収納領域を含み、複数の商品を収容するケース部（１０）と、底壁の前方端部に位置し、商品（５１）の試用のためのテスター（５２）を載置するテスター載置部（２０）とを備える。一対の側壁は、底壁の前方端縁と前記後壁の上方端縁とを結び、前方から後方に向かって斜め上方に傾斜している。【選択図】図１
0003219729.tif 000002
【実用新案登録請求の範囲】
【請求項１】
複数の商品を収容することが可能な商品陳列用容器であって、
底壁と後壁と一対の側壁とで囲まれる商品収納領域を含み、前記複数の商品を収容するケース部と、
前記底壁の前方端部に位置し、前記商品の試用のためのテスターを載置するテスター載置部とを備え、
前記一対の側壁は、前記底壁の前方端縁と前記後壁の上方端縁とを結び、前方から後方に向かって斜め上方に傾斜している、商品陳列用容器。
【請求項２】
前記テスター載置部は、前記テスターを下方から支える支え壁部と
前記支え壁部の後方端縁から上方に立ち上がる後方立壁部と、
前記支え壁部の前方端縁から上方に立ち上がる前方立壁部とを含む、請求項１に記載の商品陳列用容器。
【請求項３】
前記前方立壁部から連続して前方に延び、前記商品の広告を表示する広告表示部をさらに備える、請求項２に記載の商品陳列用容器。
【請求項４】
前記テスター載置部および前記広告表示部の横幅寸法は、前記底壁の横幅寸法と略同一である、請求項３に記載の商品陳列用容器。
【請求項５】
前記後壁は、その上端縁近傍に吊り下げ棒を貫通させるための貫通孔を有する、請求項１〜４のいずれかに記載の商品陳列用容器。
【請求項６】
前記後壁の裏面には、磁石が取り付けられている、請求項１〜５のいずれかに記載の商品陳列用容器。
【請求項７】
前記一対の側壁は、前記底壁と前記後壁とが交わる角部において開口を有する、請求項１〜６のいずれかに記載の商品陳列用容器。
【考案の詳細な説明】
【技術分野】
【０００１】
この考案は、商品陳列用容器に関し、特に、複数の商品を収容することが可能な商品陳列用容器に関する。
【背景技術】
【０００２】
従来より、ドラッグストアや化粧品販売店などの店舗において、商品を購入する前に商品を試用するためのテスターを商品の近くに置くための商品陳列用容器が用いられている。
【０００３】
たとえば特開２０１５−２２８８９０号公報（特許文献１）には、商品を整列させたトレイ部の前面側に、その商品の広告を掲載する表示部と、テスター載置用の凹部とを設けた商品陳列用トレイが開示されている。
【先行技術文献】
【特許文献】
【０００４】
【特許文献１】特開２０１５−２２８８９０号公報
【考案の概要】
【考案が解決しようとする課題】
【０００５】
特許文献１に開示された商品陳列用トレイは、前面側に広告部とテスター部とを設けており、前面側からの意匠性を考慮したものであるが、側面側からの意匠性まで考慮していない。
【０００６】
本考案は、上記の課題を解決するためになされたものであって、その目的は、正面側からだけでなく、側面側からの意匠性を向上することのできる商品陳列用容器を提供することである。
【課題を解決するための手段】
【０００７】
この目的のため、この考案の一態様に係る商品陳列用容器は、複数の商品を収容することが可能な商品陳列用容器であって、底壁と後壁と一対の側壁とで囲まれる商品収納領域を含み、複数の商品を収容するケース部と、底壁の前方端部に位置し、商品の試用のためのテスターを載置するテスター載置部とを備え、一対の側壁は、底壁の前方端縁と後壁の上方端縁とを結び、前方から後方に向かって斜め上方に傾斜している。
【０００８】
好ましくは、テスター載置部は、テスターを下方から支える支え壁部と、支え壁部の後方端縁から上方に立ち上がる後方立壁部と、支え壁部の前方端縁から上方に立ち上がる前方立壁部とを含む。
【０００９】
好ましくは、前方立壁部から連続して前方に延び、商品の広告を表示する広告表示部をさらに備える。
【００１０】
好ましくは、テスター載置部および広告表示部の横幅寸法は、底壁の横幅寸法と略同一である。
【００１１】
好ましくは、後壁は、その上端縁近傍に吊り下げ棒を貫通させるための貫通孔を有する。
【００１２】
好ましくは、後壁の裏面には、磁石が取り付けられている。
【００１３】
好ましくは、一対の側壁は、底壁と後壁とが交わる角部において開口を有する。
【考案の効果】
【００１４】
本考案によれば、正面側からだけでなく、側面側からの意匠性を向上することができる。
【図面の簡単な説明】
【００１５】
【図１】本考案の実施の形態に係る商品陳列用容器の斜視図であり、（ａ）は商品を収容した状態であり、（ｂ）は商品を収容していない状態である。
【図２】本考案の実施の形態に係る商品陳列用容器の図であり、（ａ）は側面側上方から見た斜視図であり、（ｂ）は側面図である。
【図３】本考案の実施の形態に係る商品陳列用容器の背面図である。
【図４】商品陳列用容器の組立方法を示す模式図である。
【考案を実施するための形態】
【００１６】
本考案の実施の形態について図面を参照しながら詳細に説明する。なお、図中同一また
は相当部分には同一符号を付してその説明は繰返さない。
【００１７】
図１〜図３を参照して、本考案の実施の形態に係る商品陳列用容器の一例について説明する。なお、図１，図２において矢印Ａ１で示す、需要者が対面する正面側を前方、矢印Ａ１とは反対方向の裏面側を後方といい、矢印Ａ２で示す方向を上下方向という。また、図１，３において矢印Ａ３で示す方向を左右方向という。また、正面側および裏面側と直交する面を側面側という。
【００１８】
図１（ａ）を参照して、本実施の形態に係る商品陳列用容器１は、複数の商品５１を陳列する際に使用され、複数の商品５１を収容することが可能な容器である。本実施の形態で用いられる商品５１は、たとえばアイブロウ、アイライン、マスカラなどのペン型の化粧品類、筆記用具類などである、商品５１の包装箱は、箱型形状であり、包装箱の上方に貫通孔が設けられている。
【００１９】
図１（ｂ）を参照して、本実施の形態に係る商品陳列用容器１は、ケース部１０と、テスター載置部２０と、広告表示部３０とを備える。商品陳列用容器１は、全体としてたとえば紙製であり、折り曲げて、貼り付合わせることにより形成される。商品陳列用容器１の組立方法については、後述する。
【００２０】
ケース部１０は、上方開放型の箱型形状であり、底壁１１と、後壁１２と、一対の側壁１３とで囲まれる商品収納領域を含む。ケース部１０の商品収納領域に、複数の商品５１が収容されている。本実施の形態では、商品５１が６つ収容されているが、２つ以上１０つ以下収容できることが好ましい。
【００２１】
底壁１１は、平面視略矩形形状であり、商品５１の底部と対面する部分である。底壁１１の前後方向の寸法は、商品５１を収容する数により決定される。
【００２２】
後壁１２は、正面視略矩形形状であり、底壁１１の横幅寸法と同一であり、底壁１１の後方端縁から上方に立ち上がる。後壁１２は、その上端縁近傍に吊り下げ棒５０を貫通させるための貫通孔１５を有していてもよい。具体的には、貫通孔１５は、後壁１２の上端縁から２ｍｍ〜２０ｍｍ、好ましくは５ｍｍ〜１０ｍｍの範囲内の位置に設けられる。この場合、商品陳列用容器１を吊り下げ棒５０に吊り下げるとともに、複数の商品５１も吊り下げ棒５０に吊り下げる。これにより、より多くの商品が吊り下げられているフック売場において、需要者の注目を集めることができる。さらに、商品５１をケース部１０の底壁１１上に載置するのではなく、吊り下げ棒５０に吊り下げるため、商品陳列用容器１の強度を考慮する必要がない。
【００２３】
図３に示すように、後壁１２の裏面には、板状部材１６が貼り付けられていてもよい。板状部材１６は、後壁１２の強度を高めるためのものであり、たとえば肉厚の紙、硬紙、鋼板でもよい。板状部材１６の裏面には、磁石１８が取り付けられている。板状部材１６が肉厚である場合、磁石１８が板状部材１６に埋め込まれていてもよい。フック売場の棚は、鉄製であることが多いため、磁石１８を鉄製の棚に吸着させることで、商品陳列用容器１を確実に棚に固定することができる。板状部材１６は、後壁１２の貫通孔１５と対応する位置に貫通孔１７が設けられる。板状部材１６の貫通孔１７は、後壁１２の貫通孔１５よりも大きい。
【００２４】
図１および図２に示すように、側壁１３は、底壁１１の前方端縁と後壁１２の上方端縁とを結び、前方から後方に向かって斜め上方に傾斜している。一対の側壁１３は、向かい合っており、対称に設けられる。本実施の形態では、側壁１３の上端縁１３ａは直線状であるが、前方から後方に向かって斜め上方に傾斜していれば直線状に限定されず、たとえば円弧状、階段状など他の形状であってもよい。なお、側壁１３は、商品陳列用容器１の側面側に位置する。
【００２５】
側壁１３は、底壁１１と後壁１２とが交わる角部において開口１４を有していてもよい。開口１４は、側面視三角形状である。また、側壁１３の下端縁１３ｂは、上端縁１３ａと平行に設けられる。これにより、側壁１３は斜め上方に傾斜する帯状となる。なお、側壁１３には、商品５１の商品名、キャッチコピー、会社名、図柄模様などが施されていてもよい。
【００２６】
テスター載置部２０は、底壁１１の前方端部に位置し、商品５１の試用のためのテスター５２を載置する。テスター５２は、需要者が試供するための商品５１のサンプルであり、包装容器を取り外し、店舗内で試用できる状態にしたものである。本実施の形態のテスター５２は、アイブロウ、アイライン、マスカラなどのペン型の化粧品類である。テスター載置部２０は、テスター５２をケース部１０の左右方向に延びるように横たわらせている。なお、テスター載置部２０は、商品陳列用容器１の正面側に位置する。
【００２７】
図１（ａ）および図２（ａ）を参照して、テスター載置部２０は、テスター５２を下方から支える支え壁部２１と、支え壁部２１の後方端縁から上方に立ち上がる後方立壁部２２と、支え壁部２１の前方端縁から上方に立ち上がる前方立壁部２３とを含む。後方立壁部２２および前方立壁部２３は、テスター５２の前後方向を支持し、テスター５２が落下することを防止する。また、支え壁部２１の前方端縁は、底壁１１の前方端縁と一致する。上述のように、側壁１３は、底壁１１の前方端縁から後方に向かって延びているため、テスター載置部２０上のテスター５２が側壁１３側（商品陳列用容器１の左右方向側）から落下することを防止することができる。また、後方立壁部２２は、その左右方向両端部が一対の側壁１３に接するように一対設けられていてもよい。
【００２８】
広告表示部３０は、前方立壁部２３から連続して前方に延び、商品５１の広告を表示する。広告表示部３０には、たとえば商品５１の商品名、キャッチコピー、会社名、図柄模様などが施される。
【００２９】
上述したテスター載置部２０および広告表示部３０は、矩形形状の部材を折り曲げることにより形成される。また、テスター載置部２０および広告表示部３０の横幅寸法は、略同一であり、底壁１１の横幅寸法と略同一である。
【００３０】
従来、ペン型の化粧品類をフック売場に陳列する場合、ペン型の化粧品類のテスターは、吊り下げ棒に吊り下げられた商品の前方に吊り下げられる。そのため、商品を取る際には、一旦吊り下げ棒からテスターを取り外さなければならず、商品を取りにくかった。これに対し、本実施の形態の商品陳列用容器１は、テスター載置部２０が底壁１１の前方端部に設けられているため、テスター５２を簡単に取り出すことができる。さらに、商品陳列用容器１の最前方を広告表示部３０とすることで、需要者の注意を惹きやすい。また、側壁１３が前方から後方に向かって斜め上方に傾斜しているため、商品陳列用容器１の正面側だけでなく、側面側からの意匠性を向上させることができる。
【００３１】
次に、図４を参照して、商品陳列用容器１の組立方法について説明する。
【００３２】
まず、ケース部１０を組み立てる。具体的には、図４（ａ）に示すように、底壁１１と後壁１２と一対の側壁１３とを有する第１シート体４１を準備する。一対の側壁１３の先端部には、のりしろ１３ｃが設けられている。
【００３３】
底壁１１と後壁１２との境界部の折り目、および、後壁１２と一対の側壁１３との境界部の折り目で折り曲げる。さらに、一対の側壁１３とのりしろ１３ｃの境界部の折り目で折り曲げて、のりしろ１３ｃを底壁１１の裏面に貼り付ける。このようにして、図４（ｂ）に示すように、第１シート体４１からケース部１０を組み立てる。
【００３４】
次に、テスター載置部２０と広告表示部３０とから形成されるテスター部４０を組み立てる。具体的には、図４（ｃ）に示すように、第２シート体４２を準備する。第２シート体４２の略中央部には、穴部４３が設けられている。
【００３５】
広告表示部３０とテスター載置部２０の前方立壁部２３との境界部の折り目、前方立壁部２３と支え壁部２１との境界部の折り目、支え壁部２１と後方立壁部２２との境界部の折り目、後方立壁部２２と貼り付け部２４との境界部の折り目で折り曲げて、図４（ｄ）に示すように、第２シート体４２からテスター部４０を組み立てる。
【００３６】
最後に、図４（ｅ）に示すように、ケース部１０に、テスター部４０および板状部材１６を貼り付ける。具体的には、ケース部１０の底壁１１の前方端縁とテスター部４０の支え壁部２１の前方端縁を一致させて、底壁１１の表面に支え壁部２１の裏面と貼り付け部２４の裏面を貼り付ける。さらに、ケース部１０の後壁１２の裏面に板状部材１６を貼り付ける。
【００３７】
これにより、商品陳列用容器１は、ケース部１０とテスター部４０の２つの部材をそれぞれ折り曲げて、貼り付けるだけでよいため、簡単に組み立てることができる。
【００３８】
なお、本実施の形態の商品陳列用容器１には、広告表示部３０が設けられるとして説明したが、広告表示部３０は設けられていなくてもよい。この場合、商品陳列用容器１の正面側には、テスター載置部２０が設けられている。
【００３９】
また、本実施の形態の商品陳列用容器１は、第１シート体４１、第２シート体４２および板状部材１６の３つの部品から形成されたが、一体成型されてもよい。また、紙製ではなく、たとえばプラスチックなどの合成樹脂により形成されてもよい。
【００４０】
さらに、本実施の形態において、テスター載置部２０の横幅寸法は、底壁１１の横幅寸法と略同一であるとしたが、テスター載置部２０は、たとえば一対の側壁１３の間の略中央部だけを保持する形状やＣ字状のリングなどであってもよい。
【００４１】
また、本実施の形態の商品陳列用容器１は、フック売場の吊り下げ棒５０を貫通させるための貫通孔１５は設けられていなくてもよく、フック売場ではなく、たとえば棚板上に陳列されていてもよい。
【００４２】
さらに、本実施の形態の商品陳列用容器１は、ペン型の化粧品類、筆記用具などの商品に用いられるとして説明したが、テスターを用いる商品、たとえば口紅、ファンデーションなど、ペン型の商品に限られず、テスターを要する商品に用いられればよい。
【００４３】
本考案は、図示した実施形態のものに限定されない。図示した実施形態に対して、この考案と同一の範囲内において、あるいは均等の範囲内において、種々の修正や変形を加えることが可能である。
【符号の説明】
【００４４】
１  商品陳列用容器、１０  ケース部、１１  底壁、１２  後壁、１３  側壁、１３ａ  上端縁、１３ｂ  下端縁、１４  開口、１５  貫通孔、１６  板状部材、１７  貫通孔、１８  磁石、２０  載置部、２１  支え壁部、２２  後方立壁部、２３  立壁部、２４  貼り付け部、３０  広告表示部、４０  テスター部、４１  第１シート体、４２  第２シート体、４３  穴部、５０  吊り下げ棒、５１  商品、５２  テスター。
【図１】
0003219729.tif 000003
【図２】
0003219729.tif 000004
【図３】
0003219729.tif 000005
【図４】
0003219729.tif 000006